(57)【特許請求の範囲】
【請求項１】
ヘアカッティング機器の刃のセットのための固定刃であって、前記刃のセットは、毛を切断するために移動方向において毛を通って移動されるように構成されており、前記固定刃は、
動作中、皮膚に対向する壁として機能する第１の壁部分と、
前記第１の壁部分から少なくとも部分的にオフセットされた第２の壁部分であって、これにより、前記第１の壁部分及び前記第２の壁部分が、その間に可動切断刃を受容するように構成されたガイドスロットを規定する、前記第２の壁部分と、
前記第１の壁部分及び前記第２の壁部分によって共同で形成された少なくとも１つの歯状先端と、
を有し、
複数の歯が前記少なくとも１つの歯状先端において供給され、前記歯は、前記第１の壁部分によって規定される第１の脚部と、前記第２の壁部分によって規定される第２の脚部と、を有し、
前記第１の壁部分及び前記第２の壁部分は、前記少なくとも１つの歯状先端の前端において接続され、これにより、前記歯の先端を形成しており、
前記歯は、前記第２の脚部において、前記皮膚から離れる方向に向かってテーパ形状を有し、
前記歯が、その先端において丸みを帯びた端部を有する、固定刃。
【請求項２】
前記歯の前記第２の脚部が、長手方向側視点において見た場合、テーパ形状の断面を有する、請求項１記載の固定刃。
【請求項３】
前記歯の前記第２の脚部が、長手方向側視点において見た場合、台形状の断面を有し、前記第２の脚部の側面が、前記第１の壁部分によって規定される切断面に垂直な垂直面に対して傾斜している、請求項１又は２に記載の固定刃。
【請求項４】
前記第２の脚部の前記側面が、前記垂直面に対して或る傾斜角で配置されており、前記傾斜角が、約１．５°乃至約４５°の範囲、又は、約３．０°乃至約３０°の範囲、又は、約７．５°乃至約２２．５°の範囲にある、請求項３記載の固定刃。
【請求項５】
前記第２の脚部の前記側面が、凸状に湾曲している、請求項３又は４に記載の固定刃。
【請求項６】
前記第１の壁部分及び／又は前記第２の壁部分が、前記ガイドスロットに面する側において、動作中、切断刃の対応する切断エッジと協働する切断エッジを有する、請求項１乃至５のいずれか１項に記載の固定刃。
【請求項７】
前記歯の前記テーパ形状が、長手方向側視点において見た場合、皮膚表面に対して鋭角で配置される毛を収容するように構成されたスロット空間を規定している、請求項１乃至６のいずれか１項に記載の固定刃。
【請求項８】
前記スロット空間が、長手方向側視点において見た場合、Ｙ字形状又は漏斗形状である、請求項７記載の固定刃。
【請求項９】
前記第１の壁部分を規定している第１の層と、前記第２の壁部分を規定している第２の層と、前記第１の層と前記第２の層との間に配置される中間層と、を有し、前記第１の層、前記第２の層、及び、前記中間層が、メタル材料から形成され、前記第１の層及び前記第２の層の各々が、シートメタルブランクから形成され、前記第１の層と前記第２の層とが、前記中間層を介して互いに接着されており、これにより、前記先端を形成しており、前記中間層が、前記第１の層及び前記第２の層と間隔を空けて、それらの間に前記ガイドスロットを規定している、請求項１乃至８のいずれか１項に記載の固定刃。
【請求項１０】
前記固定刃が、一体的に形成されたメタルプラスチック複合固定刃であり、前記第１の壁部分が、少なくとも部分的にメタルシート材料からできており、前記第２の壁部分が、少なくとも部分的に前記メタルシート材料に対してモールドされたプラスチック材料からできている、請求項１乃至８のいずれか１項に記載の固定刃。
【請求項１１】
プラスチックコンポーネントを更に有し、前記第１の壁部分及び前記第２の壁部分が、共通のメタルコンポーネントから一体的に作られる内側メタルシェルを有し、前記プラスチックコンポーネントが、前記皮膚から離れる方を向いている底面側において前記メタルコンポーネントに対してモールドされ、前記第２の脚部における前記テーパ形状が、前記プラスチックコンポーネントによって少なくとも部分的に形成されている、請求項１乃至８のいずれか１項、又は、請求項１０に記載の固定刃。
【請求項１２】
前記第１の脚部が、長手方向側視点において見た場合、矩形状の輪郭で構成されている、請求項１乃至１１のいずれか１項に記載の固定刃。
【請求項１３】
前記第１の壁部分における前記第１の脚部が、長手方向側視点において見た場合、矩形状の輪郭で構成され、前記第２の壁部分における前記第２の脚部が、長手方向側視点において見た場合、テーパ状の断面を有し、前記第１の脚部が、前記第２の脚部の少なくとも底側領域よりも幅において大きい、請求項１乃至１２のいずれか１項に記載の固定刃。
【請求項１４】
ヘアカッティング機器の刃のセットであって、前記刃のセットは、毛を切断するために移動方向において毛を通って移動されるように構成されており、前記刃のセットは、
請求項１乃至１３のいずれか１項に記載の固定刃と、
少なくとも１つの歯状先端を有する可動切断刃であって、前記可動切断刃は、前記固定刃によって規定される前記ガイドスロット内で移動可能に配置され、これにより、前記可動切断刃と前記固定刃との間の相対運動において、前記固定刃の前記少なくとも１つの歯状先端が、前記可動切断刃の対応する刃と協働して、切断動作において、それらの間に捕捉された毛の切断を可能にする、前記可動切断刃と、
を有する、刃のセット。
【請求項１５】
ヘアカッティング機器であって、
モータを収容する筐体と、
請求項１４記載の刃のセットと、
を有し、
前記固定刃が、前記筐体に対して取り外し可能に取付けられ、前記切断刃が、マウント状態において、前記モータに動作可能に接続され、これにより、前記モータが、前記固定刃の前記ガイドスロット内で前記切断刃を線形駆動又は回転させることができる、ヘアカッティング機器。
【発明の詳細な説明】
【技術分野】
【０００１】
本開示は、ヘアカッティング機器、特に、電動ヘアカッティング機器に関し、より詳細には、このような機器のための刃のセット用の固定刃に関する。刃のセットは、髪を切るために移動方向において毛を通って移動するように構成され得る。固定刃は、可動切断刃が少なくとも部分的に包囲されて案内されるガイドスロットをその間に規定する第１の壁部分と第２の壁部分とを有することができる。より具体的には、本開示は、さらに、そのような固定刃の切断歯の好適な設計に関する。
【背景技術】
【０００２】
米国特許第２，１０２，５２９号は、平行な面及び傾斜したマージンを有するプレートと、前記マージンを横切る鋸状の縁（セレーション）と、を有するヘアクリッピング装置であって、前記プレートの広い面が、前記セレーションと位置合わせされてアンダーカットされており、外側及び薄いシートメタルシアープレートが、前記傾斜したマージンをまたぎ、前記またいでいるエッジを横切るスロットであって、両端が閉じられ、前記傾斜したマージンにおいて露出した前記セレーションの部分と協働するシアーエッジを画定しているヘアクリッピング装置を開示している。外側シアープレートの上部において、ラッチプレートが設けられている。
【０００３】
米国特許第２，１５１，９６５号は、ヘアクリッパのための刃のセットを含む同様の構成を開示している。
【０００４】
国際公開第２０１３／１５０４１２号は、ヘアカッティング機器と、ヘアカッティング機器の対応する刃のセットと、を開示している。刃のセットは、固定刃と可動刃とを有し、可動刃は、髪を切断するための固定刃に対して往復駆動され得る。刃のセットは、トリミング動作及びシェービング動作の両方を可能にするのに特に適している。
【０００５】
本開示の優先日後にのみ公開された欧州特許第２８５７１５６号は、刃のセットの同様の構成に関する。
【０００６】
体毛を切断する目的のために、剃刀とヘアトリマー又はヘアクリッパとの２つの慣習的に区別されるタイプの電動機器が基本的に存在する。一般に、剃刀は、シェービング、即ち、髭のない滑らかな皮膚を得るために、皮膚のレベルで体毛をスライスするために使用される。ヘアトリマーは、典型的には、皮膚から選択された距離で毛髪を切断するために、即ち、毛髪を所望の長さに切断するために使用される。適用の違いは、いずれかの機器に実装された切断刃構成の異なる構造及びアーキテクチャに反映される。
【０００７】
電気剃刀は、典型的には、箔、即ち、極薄穿孔スクリーン、並びに、箔の内側及び箔に対して移動可能な切断刃を含む。使用中、箔の外側は、箔を貫通する毛が、その内側に関して動く切断刃によって切断され、剃刀の中空の毛髪収集部分に落ちるように、皮膚に対して配置及び押し付けられる。
【０００８】
一方、電気ヘアトリマーは、典型的には、歯付き縁部を有する２つの切断刃を含み、一方は、それぞれの歯付き縁部が重なるように他方の上に配置される。動作中、切断刃は、互いに対して往復運動し、ハサミ動作で歯の間に閉じ込められた毛を切断する。毛が切断される皮膚上の正確なレベルは、通常、（スペーサ）ガード又はコームと呼ばれる付加的な取り付け可能な部分によって決定される。
【０００９】
さらに、シェービング及びトリミングの目的に基本的に適合した複合装置が知られている。しかし、これらの装置は、２つの別個及び異なる切断セクション、即ち、上述したような電動剃刀のコンセプトにマッチする機構を有するシェービングセクションと、一方で、ヘアトリマーのコンセプトにマッチする機構を有するトリミングセクションと、を含む。
【００１０】
一般的な電気剃刀は、毛髪を皮膚上の所望の可変長に、即ち、正確なトリミング操作のために切断するのに特に適していない。これは、少なくとも部分的には、箔とひいては切断刃とを皮膚から離すための機構を含まないという事実によって説明することができる。しかし、たとえそうであっても、例えば、スペーシングコームなどの取り付けスペーサ部を追加することによって、典型的に多数の小さな穿孔を含む箔の構成は、毛髪の最短で最も硬いものを効率的に捕捉することを減少させる。
【００１１】
同様に、一般的なヘアトリマーは、主に別個の切断刃が変形することなくハサミ動作を行なうために一定の剛性、従って厚さを必要とするため、シェービングに特に適していない。毛が皮膚の近くで切断されるのを防ぐ、皮膚に面する刃の最小必要刃厚さである。その結果、身体の毛を剃って整えることを望むユーザは、２つの別個の機器を購入して適用する必要があり得る。
【００１２】
更に、基本的に２つの切断刃のセット及びそれぞれの駆動機構を必要とするので、シェービング及びトリミング装置の組合せは、幾つかの欠点を示す。その結果、これらの装置は、標準タイプの単一目的ヘアカッティング装置よりも重く、摩耗し易く、高価な製造、及び、組み立て工程を必要とする。同様に、これらの複合装置を操作することは、しばしば不快で複雑なものとなることが多い。２つの別個の切断セクションを含む従来の組み合わせシェービング及びトリミング装置が利用される場合であっても、装置を取り扱い、異なる動作モードを切り替えることは、時間がかかり、ユーザフレンドリではないと考えられる。切断セクションは、典型的には、装置の異なる位置に設けられているので、使用者が操作中に２つの顕著な保持位置に慣れる必要があるので、ガイド精度（ひいては切断精度）を低下させ得る。
【００１３】
上記国際公開第２０１３／１５０４１２号は、シェービングのために使用される場合、固定刃の第１の部分が肌に面する可動刃の側に設けられるように可動刃を収容するとともに、使用時に、固定刃の第２の部分が肌とは反対側の可動刃の側に配置されるように固定刃を有する刃のセットを供給することによってこれらの課題の幾つかに取り組んでいる。さらに、歯状の切断エッジでは、固定刃の第１の部分と第２の部分とが連結され、それによって可動刃のそれぞれの歯を覆う複数の固定歯が形成される。これにより、可動刃は固定刃によって保護される。
【００１４】
この配置は、固定刃が皮膚から離れて面する可動刃の側にも存在するので、固定刃が強度及び剛性を向上させた刃のセットを提供できる限り有利である。これは、一般に、可動刃の皮膚に面する側で固定刃の第１の部分の厚さを減少させることを可能にする。結果として、このようにして可動刃が動作中に皮膚に近づくことがあるので、上記刃のセットは、毛剃り作業によく適している。それとは別に、刃のセットは、スロットと交互になるそれぞれの歯を含む切断エッジの構成が、より長い髪がスロットに入り、その結果、可動刃と固定刃との間の相対的な切断によって切断されることができるので、特に毛のトリミング作業に適している。
【発明の概要】
【発明が解決しようとする課題】
【００１５】
しかしながら、ヘアカッティング機器及び各刃のセットにおける改善の必要性が依然として存在する。これは、特に、ユーザ快適性に関連する側面、性能に関連する側面、及び、製造関連の側面を含み得る。製造関連の側面は、シリーズ製造又は量産のための適合性を含むことができ、本明細書に記載されるような刃のセットの形成のための新規な製造及び／又は材料アプローチによって可能にされる設計特徴を含むことができる。
【課題を解決するための手段】
【００１６】
本開示の目的は、シェービング動作及びトリミング動作の両方を可能にする代替的な固定刃、並びに、対応する刃のセットを提供することである。特に、シェービング動作及びトリミング動作の両方において快適なユーザ体験に寄与する固定刃及び刃のセットを提供することができる。より好ましくは、本開示は、上述した従来技術のヘアカッティング機器及び刃のセットに固有の少なくとも幾つかの欠点に対処することができる。改善された動作性能を示すとともに、好ましくは、切断動作に要する時間を短縮可能な刃のセット及び固定刃を提供することがさらに好適であろう。特に比較的に長い毛、特に平らな毛、及び／又は、ボサボサの、及び／又は、毛深い髪を捕捉及び切断するのに適した、固定刃、及び、各刃のセットが取り付けられたヘアカッティング機器を提供することがさらに好ましい。
【００１７】
本開示の第１の態様において、ヘアカッティング機器の刃のセットのための固定刃であって、前記刃のセットは、毛を切断するために移動方向において毛を通って移動されるように構成されており、前記固定刃は、
動作中、皮膚に対向する壁として機能する第１の壁部分と、
前記第１の壁部分から少なくとも部分的にオフセットされた第２の壁部分であって、これにより、前記第１の壁部分及び前記第２の壁部分が、その間に可動切断刃を受容するように構成されたガイドスロットを規定する、前記第２の壁部分と、
前記第１の壁部分及び前記第２の壁部分によって共同で形成された少なくとも１つの歯状先端と、を有し、
複数の歯が前記少なくとも１つの歯状先端において供給され、前記歯は、前記第１の壁部分によって規定される第１の脚部と、前記第２の壁部分によって規定される第２の脚部と、を有し、
前記第１の壁部分及び前記第２の壁部分は、前記少なくとも１つの歯状先端の前端において接続され、これにより、前記歯の先端を形成しており、
動作中、前記第２の脚部及び前記第１の脚部が互いに関して非対称的に配置されるように、前記歯は、前記第２の脚部において、皮膚から離れる方向を向いている前記固定刃の底側に向かう長手方向拡がりの少なくとも実質的部分に沿って先細っている、固定刃が提供される。
【００１８】
この態様は、第１の壁部分と第２の壁部分とを含む固定刃の設計が、それらの間のガイドスロット内に受け入れられ得る可動切断刃を覆って保護する一方、刃のセットの剛性及び強度を著しく増加させ得るという洞察に基づいている。これは、刃のセットがユーザの肌と直接接触して肌の高さで毛を切断するときの切断性能、特にシェービング性能にプラスの影響を及ぼし得る。しかしながら、他方では、固定刃は、トリミング動作及び／又は比較的長い毛が除去されるシェービング動作においてもかなりの性能を示す。特に、皮膚表面に対して基本的に直角に配置されていない長い毛は、可動切断刃に毛を補足してガイドすることを困難にすることがある。
【００１９】
典型的に、毛髪は捕捉され、固定刃の歯と交互に配置された歯のスロットの中にガイドされなければならない。固定刃の歯の間の歯のスロットにおいて、可動切断刃の歯は、好ましくは往復運動で移動させられ得る。その結果、毛が歯のスロットに適切に入るたびに、刃のセットの可動切断刃と固定刃との間の相対的な切断動作のために、それぞれの切断動作が達成され得る。従って、固定刃の歯のそれぞれの（基本的に縦方向に延びる）刃先と可動刃の歯との間で毛を切断又は切ることができる。
【００２０】
固定刃は、可動切断刃のためのガイドスロットを規定するする第１の壁部分と第２の壁部分とを有するため、歯状切断エッジの領域における刃のセットの全体高さは、動作時に可動切断刃と所定される肌との間に配置された単一の壁部分のみを具現する固定刃を利用する従来技術の刃のセットの各全体高さよりも大きい。増加した高さの結果として、比較的平らな毛髪及び／又はボサボサの毛髪に関しては、毛髪捕捉能力が考慮されるべきである。それらの平坦な向きのために、幾らかの毛髪（毛髪フィラメント）が、固定刃の歯状先端によって接触されたときに皮膚表面に対して比較的小さな角度で配置されると仮定すると、毛の少なくとも幾らかは、歯の間のそれぞれの歯スロット又はスロット空間に入ることはできず、むしろ平坦な毛を覆う固定刃によって曲げられる。これにより、切断動作に要する時間が長くなり、切断性能が低下することがある。従って、固定刃の歯の第２の脚部（即ち、動作中に皮膚から離れて向いている脚部）を、それらが基本的にフラットな毛を妨げない（又は単に限定された程度に）ように形成することが望ましい。その結果、平らな毛も歯のスロットに入り、結果、ヘアカッティング機器によって除去される。
【００２１】
このようにして、固定刃を更に補強することができるので、その先端での固定刃の高さの増加が望まれている。第２の壁部分は、切断動作に直接関与しない可動切断刃の側に配置されているので、このような構成は、シェービング動作において、毛が肌に非常に接近して切断される刃のセットの能力を妨げない。また、第２の壁部分は、固定刃に十分な剛性を付与するので、第１の壁部分の厚みや高さを更に小さくして、シェービング性能をより向上させることができる。
【００２２】
固定刃の所望の剛性を維持するために、その歯の全体の高さを維持することが好ましい。従って、平らに配向されたより長い毛髪を捕捉して処理する刃のセットの能力を向上させるために、単に第２の壁部分の厚さ又は高さを減少させることは望ましくない。
【００２３】
本明細書において、固定刃は、ガード又はガードブレードとも呼ばれる。歯状切断エッジの領域における固定刃の輪郭に関し、可動切断刃、特にその歯が固定刃のそれぞれの輪郭を越えて突出しないことが好ましい。その結果、皮膚と可動切断刃とが直接接触することによって引き起こされる皮膚損傷、皮膚刺激、及び／又は、皮膚切断が大幅に低減され得る。
【００２４】
本開示の少なくとも幾つかの実施形態によれば、固定刃は、その長手方向断面（即ち、長手方向に垂直な断面）に関して、第１の壁部分及び第２の壁部分が異なる形状となるように製造される。第１の壁部分は、歯の第１の脚部を形成する。それぞれの場合の歯の第１の脚部は、切断動作に使用され、従って、その長手方向に延びる側面にそれぞれの切断エッジを備える。歯の第１の脚部の切断エッジは、動作中に可動切断刃の各歯の対応する切断エッジと協働することができる。毛切断動作を容易にするために、それぞれの横方向の拡がり（第１の脚部の幅）は、固定刃の歯の最大全横方向伸長を画定することもできる。
【００２５】
換言すれば、第１の脚部の切断エッジ近傍の幅と比較して、第２の脚部は、少なくとも部分的に著しく幅が狭くてもよい。皮膚に対してかなり平坦に配置された毛髪を捕捉し切断するのを容易にするために、第２の脚部は、好ましくは、底面側、即ち皮膚対向面とは反対側の固定刃面に向かって先細になっている。換言すれば、第１の脚部の横方向の伸長（幅）が縮小されていなくても、このようにして歯と衝突することなく毛髪によって入ることができる許容された空間又は空いた空間が増加され得る。長手方向の側面図で見ると、固定刃の歯のそれぞれの断面は、典型的には、ガイドスロットから下側に向かって延びるか、又は、ピンのように延びる第２脚部の輪郭部を示す。本明細書で使用されるように、先細りは、狭窄、台形の形状、三角形、及び／又は、円錐形を含むこともできる。
【００２６】
第２の脚部及び第１の脚部は、（互いにに関して）非対称的な様式で、特に非鏡面対称の様式で配置されることが一般に好ましい。これは、それぞれの高さ又は厚さ、及び、それらの一般的な縦方向の輪郭に適用され得る。それぞれの脚部の輪郭の長手方向の輪郭は、断面の長手方向の側面図で見て視認可能である。好ましくは、第１の壁部分の第１の脚部は、長方形に配置され、第２の壁部分の第２の脚部は、テーパ状に配置される。より一般的には、第１の脚部は、第２の脚部の少なくとも底部領域よりも幅（横方向の拡がり）が広くてもよい。
【００２７】
例示的な実施形態では、第１の脚部の長手方向断面プロファイルは、その長手方向拡がりの少なくとも実質的な部分に沿って基本的に矩形であり、第２の脚部の長手方向断面プロファイルは、その長手方向拡がりの少なくとも実質的な部分に沿って基本的にテーパ状である。テーパ形状は、台形、楕円形、半楕円形、楕円形、及び、それらの組み合わせのうちの少なくとも１つを含むことができる。従って、長手方向断面から見た場合の第１の脚部及び第２の脚部の長手方向断面プロファイルは、特に非鏡面対称の様式で、互いに異なっている。言うまでもなく、丸みを帯びた又は面取りされたエッジが、それぞれのプロファイル、特に、ガイドスロットから離れて向いているそのエッジに存在してもよい。換言すれば、第１の脚部は、もし先細になっていれば、第２の脚部ほど先細になっていない。
【００２８】
シェービング動作モードでは、第１の壁部分は、典型的には、皮膚に面するだけでなく、利用される歯状先端の近傍で皮膚に接触するか、又は、当たる。換言すれば、一般に、第１の壁部分は、固定刃、刃のセット、及び、ヘアカッティング機器の最上部の構成要素として配置されてもよい。
【００２９】
固定刃の一実施形態では、歯の第２の脚部は、長手方向の側面図で見るとテーパ状の断面を有し、テーパは、皮膚に面する側から皮膚の反対側に向く側面に向かって延びる。皮膚に面する側は、上側と呼ぶことができる。皮膚から離れている側を底側と呼ぶことができる。上述の断面図で見ると、第２の脚部の上側は底側よりも広い。幾つかの実施形態では、第２の脚部の底面は、比較的先の先端で終わってもよい。
【００３０】
固定刃の他の実施形態では、歯の第２の脚部は、長手方向の側面図で見て、台形状に配置された断面を有し、第２の脚部の側面は、第１の壁部分によって規定される切断面に対して垂直な垂直面に対して傾斜している。第１の壁部分の切断エッジは、切断面に配置される。垂直面は、基本的に切断面に垂直であり、少なくとも幾つかの実施形態では、固定刃の刃の主な延在方向に対応する長手方向に対して平行である。第２の脚部の台形断面は、基本的に鏡面対称に配置された２つの側部又は側面を有する。また、第１の壁部分に対向する長辺が設けられている。長辺の反対側には、第１の壁部分から離れて面する短辺が設けられている。結果として、基本的に平坦な態様で配置及び／又は変形された毛髪は、側面が垂直平面に対して傾斜しているときに、第２の脚部の側面と位置合わせすることができる。幾つかの実施形態では、歯の第２の脚部の断面は、三角形状に配置されてもよい。
【００３１】
この実施形態の更に他の改良において、第２の脚部の断面は、第１の側面と、第１の側面に対向する第２の側面とを有し、第１の側面及び第２の側面は、互いに向かって傾斜している。幾つかの実施形態では、第１の側面及び第２の側面は、それぞれの底面を介して接続されてもよい。幾つかの実施形態では、第１の側面及び第２の側面は、共通の先端で互いに融合することができる。当然のことながら、第２の脚部の断面は、丸みを帯びた端部、丸みを帯びた先端部、面取りされた端部、面取りされた端部などを有し得ることは言うまでもない。
【００３２】
上記態様の他の構成において、第２の脚部の側面は、垂直面に対して傾斜角度γ（ガンマ）で配置され、ここで、傾斜角度γは、約１．５°（度）乃至約４５°、好ましくは約３．０°乃至約３０°、より好ましくは約７．５°乃至約２２．５°の範囲にある。従って、固定刃の歯の間の歯スロットの底面は、漏斗状の様式で著しく広げられ、及び／又は、配置され得る。結果として、基本的に矩形に配置された隣接する歯の間に歯のスロットを有する固定刃で捕らえられない毛を捕らえることができる。
【００３３】
しかしながら、少なくとも幾つかの実施形態では、第２の脚部の側面は、凸状に湾曲していてもよい。このような実施形態では、傾斜角γは、垂直平面と前記凸状表面に対する主接線との間のそれぞれの角度とみなすことができる。
【００３４】
固定刃の更に他の実施形態では、第１の壁部分は、それぞれ内側に面する表面に、動作中に切断刃の対応する切断エッジと協働する切断エッジを有する。或る実施形態では、第１の壁部分及び第２の壁部分は、その反対側の内向き面に、動作中に切断刃の対応する切断エッジと協働する切断エッジを有する。後者の実施形態では、スロットに切断刃をしっかりと嵌め込むことができる。言うまでもないが、切断刃がガイドスロット内で摺動可能に配置されているような緊密な（垂直の）嵌め合いが設けられてもよい。第１の壁部分及び第２の壁部分の両方に切断エッジが設けられている場合には、可動切断刃の両側で毛を切断又は切ることができる。これは、特に短い残りのみが捕捉され、ガイドスロットに詰まる可能性があるという利点を有する。代替案では、第２の壁部分に切断エッジを形成しない固定刃の実施形態を想定することができる。従って、可動切断刃と第２の壁部分との間に画定された隙間が少なくとも部分的に第２の脚部に設けられてもよい。
【００３５】
固定刃の更なる実施形態では、固定刃の歯は、その先端に向かって少なくとも部分的に先細になっている。換言すれば、この実施形態によれば、歯は、それらの長手方向の伸長において先細になっていてもよい。少なくとも第１の壁部分と第２の壁部分とが相互接続されている先端の近傍の移行領域において、第１の壁部分と第２の壁部分との両方にそれぞれテーパが存在してもよい。結果として、それぞれのテーパが、それぞれの断面図又は輪郭図（下部又は上部の向き）に存在してもよい。むしろ、第２の脚部の先細りは、典型的には底面側、即ち垂直方向に向いている。組み合わせて、歯の先端に向かう長手方向の先細又は狭小化、並びに、歯の底面に向かう垂直方向の先細り又は狭小化を提供することができる。その結果、刃のセットの毛捕捉能力がさらに改善される。
【００３６】
上記の実施形態は、歯が、底面図で見て、テーパ状に配置された輪郭を有するという点で改良され得る。好ましくは、輪郭は先端に丸い端部を有する。
【００３７】
固定刃の更に他の実施形態では、歯の先細りは、長手方向の側面図で見ると、皮膚表面又は仮想的な皮膚表面に対して鋭い角β（ベータ）（又は、少なくとも基本的に平坦な角度）に配置された毛髪を収容するように構成された歯の間にスロット空間を画定する。本明細書で使用されるように、鋭い角は、鋭角を含むことができる。一般に、鋭角は、約０°乃至約６０°の範囲、好ましくは約５°乃至３０°の範囲、より好ましくは約５°乃至２２．５°の範囲の値をとることができる。毛髪は、一般的に容易に変形可能であることは言うまでもない。これに関連して、歯と皮膚表面との間の角度βは、必ずしも傾斜角γに一致する必要はなく、対応する必要はないことに言及することは重要である。むしろ、固定刃の歯状先端は、毛髪リフタとして作用し、毛髪の下に達し、平坦な毛髪を持ち上げ、曲げ、整列させ、歯間の歯スロットに入ることができるようにすることが可能である。
【００３８】
これに関連して、上記の皮膚表面と毛との間の角度βは、毛髪の実際の全体的な向きにかかわらず、長手方向及び／又は移動方向に垂直な平面に投影される投影角度と見なすことができる。
【００３９】
固定刃の更に他の実施形態では、長手方向の側面図で見た場合、スロット空間は、Ｙ字形状又は漏斗形状である。好ましくは、スロット空間の先細り又は傾斜部分は、第２の壁部分と関連付けられており、スロット空間の狭い部分は第１の壁部分と関連付けられている。また、底面図又は平面図で見ると、スロット空間は、歯の先端に幅の広い開口部と、それぞれの歯の基部に狭い部分とを有するＹ字型又は漏斗型に配置されてもよい。
【００４０】
コスト効率的な方法で固定刃に二重壁の歯の所望の形状を提供するため、固定刃は、一方では大量生産可能であり、他方では歯の第１の脚部及び第２の脚部を異なる形状とすることが可能な製造方法及びアプローチから得られる。
【００４１】
以下では、幾つかの例示的な製造方法を提示し、論じる。言うまでもなく、本明細書に記載の少なくとも幾つかの態様に係る固定刃は、異なるやり方で成形され、少なくともわずかに異なる製造方法から得られてもよい。しかしながら、一方では、第１の壁部分、ガイドスロット、及び、第２の壁部分の厚さ（高さ）を変更及び／又は調整することを可能にし（これは、第１の壁部分及び第２の壁部分が異なる厚みを持ち得ることを示す）、他方では、極めて高い設計の自由度で、第２の壁部分における第２の脚部の（長手方向）断面を形作り、変更し、及び／又は、調整することを可能にする幾つかの有用なアプローチが提示され、以下に議論される。
【００４２】
或る例示的な実施形態では、固定刃は、第１の壁部分を画定する第１の層、第２の壁部分を画定する第２の層、及び、第１の層と第２の層との間に配置される中間層を有し、第１の層、第２の層、及び、中間層は、金属材料から作成され、第１の層及び第２の層の各々は、シートメタルブランクから形成され、第１の層及び第２の層は、中間層を介して互いに接着され、これにより、先端を形成し、中間層は、第１の層と第２の層とから互いに間隔を空けられ、その間にガイドスロットを規定しており、中間層は、歯の先端において移行的な中間壁部分を形成している。
【００４３】
換言すれば、中間層は、その厚さに関して、ガイドスロットの高さを画定することができる。また、第１の層、第２の層、及び、中間層を異なるシートメタルブランクから形成することができるので、それぞれの特性及び寸法を目的に合わせて調整することができる。その結果、第２の層の厚さは、第１の層の厚さと異なることができ、好ましくはそれよりも大きい。歯及びガイドスロットの所望の形状を画定するために、第１の層、第２の層、及び、中間層は、特に、材料除去処理を施して処理することができる。この目的のために、切断プロセス、スタンピングプロセス、電気化学機械加工、放電加工、ワイヤスパーク侵食、及び、更なる適切な方法が想定され得る。特に、中間層は、その中にガイドスロットを画定するように加工される必要がある。
【００４４】
第１の層、中間層、及び、第２の層は、例えば、スポット溶接又はレーザ溶接などの溶接によって、互いに結合されてもよい。さらに、はんだ付けプロセスもまた想定され得る。第１の層、第２の層、及び、中間層を接着することによって、積層体を得ることができる。積層されたスタックは、中間生成物と呼ぶことができる。典型的には、積層された積層体は、必要に応じて歯を画定し、形作るようにさらに加工される。その結果、歯の第２の脚部は、必要とされる狭小化又は先細りを実現するように所望の様式で成形することができる。
【００４５】
固定刃の代替的な実施形態では、固定刃は、一体成形された金属−プラスチック複合固定刃として構成され、第１の壁部分は、少なくとも部分的にシートメタル材料から作られ、第２の壁部分は、少なくとも部分的に、シートメタル材料に成形されたプラスチック材料で作られている。換言すれば、この実施形態に係る固定刃は、インサート成形プロセス及び／又はオーバーモールドプロセスから得ることができる。この実施形態は、実際に皮膚に接触し、それぞれの切断エッジを実装する第１の壁部分のみが、それぞれの適切な金属材料から作られるべきであるという洞察に基づいている。特に、第２の壁部分が切断動作に関与しない実施形態では、第２の壁部分をプラスチック材料から主に成形することが有益であり得る。これに関連して、第１の壁部分と第２の壁部分との間のそれぞれの境界又は分離は、プラスチック材料と金属材料との間のそれぞれの境界に必ずしも対応する必要はないことに言及することは重要である。言い換えれば、少なくとも幾つかの実施形態では、プラスチック材料は、第１の壁部分の一部も形成することができる。これは、特に、第１の壁部分と第２の壁部分とが合体する歯の先端に当てはまる。歯の先端は、毛の切断又は切断工程に直接関与せず、したがってプラスチック材料に基づく。一体的に形成された金属−プラスチック複合固定刃は、高度に自動化された費用効率の高い製造プロセスから得ることができる。
【００４６】
少なくともある程度は、金属−プラスチック複合固定刃とも呼ばれる固定刃のさらに別の実施形態では、固定刃はプラスチック部品を有することができ、第１の壁部分と第２の壁部分は、共通の金属コンポーネント、特に変形されたシートメタルコンポーネントから一体的に作られたインナーメタルシェルを有し、プラスチックコンポーネントは、動作中、皮膚から離れる方に面する底面において金属コンポーネントにモールドされ、第２の脚部の先細りは、プラスチックコンポーネントによって少なくとも部分的に形成される。換言すれば、単一の金属部品、特に単一のシートメタルストリップを約１８０°曲げ、第１の壁部分及び第２の壁部分のかなりの部分を形成する金属シェルを画定することができる。プラスチック部品は、オーバモールディング、インサート成形などによって金属部品に成形することができる。特に、プラスチックコンポーネントは、固定刃の歯の丸い先端部を画定することができる。
【００４７】
歯の第２の脚部の所望の先細又は狭小化に関して、上記の製造方法に関連して異なる実施形態を想定することができる。第１の実施形態では、第２の脚部の金属コンポーネントはテーパ形状の一部を形成しない。つまり、主として、第２の脚部において金属部品の底面に成形されるプラスチックコンポーネントは、所望の形状に成形され得る。別の代替の実施形態では、その第２の脚部の金属部品もまた、先に示したように、狭くなった断面及び／又はテーパを含む。
【００４８】
本開示の他の態様では、ヘアカッティング機器の刃のセットであって、前記刃のセットは、毛を切断するために移動方向において毛を通って移動されるように構成されており、前記刃のセットは、
本開示の少なくとも幾つかの実施形態に係る固定刃と、
少なくとも１つの歯状先端を有する可動切断刃であって、前記可動切断刃は、前記固定刃によって規定される前記ガイドスロット内で移動可能に配置され、これにより、前記可動切断刃と前記固定刃との間の相対運動において、前記固定刃の前記少なくとも１つの歯状先端が、前記可動切断刃の対応する刃と協働して、切断動作において、それらの間に捕捉された毛の切断を可能にする、前記可動切断刃と、
を有する、ヘアカッティング機器の刃のセットが提示される。
【００４９】
刃のセットは、固定刃と可動切断刃とからなることが特に好ましい。勿論、これには、可動切断刃のためのそれぞれの力伝達部材が関与し得る。それとは別に、少なくとも幾つかの実施形態では、刃のセットが他の構成要素を含まないことが好ましい。一例として、可動切断刃は、付勢バネ要素のような別個の付勢部材によって付勢されることなくガイドスロット内に配置されることが好ましい場合がある。その結果、可動切断刃の上側が第１の壁部分に接触し、可動切断刃の下側が第２の壁部分と接触することが好ましい。第１の壁部及び第２の壁部に対して、それぞれ、所定のクリアランス又は少なくともわずかに付勢された状態で可動切断刃がガイドスロット内に配置されてもよいことは言うまでもない。可動切断刃は、好ましくは、摺動するが、遊びはほとんどなく、ガイドスロットに配置されるためである。
【００５０】
相対運動は、可動切断刃の固定刃に対する往復運動、好ましくは往復直線運動を含むことができる。幾つかの実施形態では、相対運動は、可動切断刃の静止刃に対する回転を含むことができる。
【００５１】
本開示の更に他の態様では、ヘアカッティング機器、特に電動グルーミング機器であって、
モータを収容する筐体と、
ここで説明されるような少なくとも幾つかの実施形態に係る刃のセットと、
を有し、
前記固定刃が、前記筐体に対して取り外し可能に取付けられ、前記切断刃が、マウント状態において、前記モータに動作可能に接続され、これにより、前記モータが、前記固定刃の前記ガイドスロット内で前記切断刃を線形駆動又は回転させることができる、ヘアカッティング機器が提示される。
【図面の簡単な説明】
【００５２】
本発明のこれらの態様及び他の態様が、以下に説明される実施形態を参照して明確且つ明らかとなるであろう。
【図１】図１は、刃のセットを実装している切断ヘッドを含む例示的なヘアカッティング機器の概略的な斜視図を示している。
【図２】図２は、ヘアカッティング機器の切断ヘッドの刃のセットの斜視上面図を示している。
【図３】図３は、刃のセットの例示的な実施形態の部分上面図を示している。
【図４】図４は、図３の線分ＩＶ−ＩＶに沿った図３に示される刃のセットの断面側面図を示している。
【図５】図５は、図３及び図４に示される刃のセットの部分的な長手方向側面図を示しており、ここで、図５の視点の向きは、図４における線分Ｖ−Ｖで示されており、説明目的のため、可動切断刃は省略されている。
【図６】図６は、図４の線分ＶＩ−ＶＩに沿った図５の構成の他の部分的な断面長手方向側面図である。
【図７】図７は、刃のセットのための固定刃の実施形態の部分的な斜視長手方向側面図である。
【図８】図８は、刃のセットのための固定刃の他の実施形態の部分的な斜視長手方向側面図である。
【図９】図９は、固定刃の実施形態の部分的な簡略化された概略的な断面側面図である。
【図１０】図１０は、固定刃の例示的な実施形態の部分的な簡略化された概略的な底面図である。
【図１１】図１１は、図１０における線分ＸＩ−ＸＩに沿った図１０の構成の部分的な断面長手方向側面図である。
【図１２】図１２は、固定刃の他の例示的な実施形態の部分的な簡略化された概略的な底面図である。
【図１３】図１３は、図１２における線分ＸＩＩＩ−ＸＩＩＩに沿った図１２の構成の部分的な断面長手方向側面図である。
【図１４】図１４は、固定刃の歯の実施形態の部分的な簡略化された概略的な断面長手方向側面図である。
【図１５】図１５は、固定刃の歯の他の実施形態の部分的な簡略化された概略的な断面長手方向側面図である。
【図１６】図１６は、固定刃の歯の更に他の実施形態の部分的な簡略化された概略的な断面長手方向側面図である。
【図１７】図１７は、固定刃の歯の更に他の実施形態の部分的な簡略化された概略的な断面長手方向側面図である。
【図１８】図１８は、固定刃の歯の更に他の実施形態の部分的な簡略化された概略的な断面長手方向側面図である。
【図１９】図１９は、図１８の構成の部分的な簡略化された概略的な長手方向側面図である。
【図２０】図２０は、刃のセットの他の実施形態の斜視上面図である。
【図２１】図２１は、図２０に示される刃のセットの斜視底面図である。
【図２２】図２２は、図２０及び図２１に示される刃のセットの分解斜視底面図である。
【図２３】図２３は、刃のセットの他の実施形態の分解斜視底面図である。
【図２４】図２４は、刃のセットの他の実施形態の一部を形成し得るシートメタルコンポーネントの斜視底面図である。
【図２５】図２５は、図２４に示されるシートメタルコンポーネントの折り曲げられた状態の部分的な斜視底面図である。
【図２６】図２６は、図２５に示されるシートメタルコンポーネントを有する固定刃の部分的な斜視断面図である。
【図２７】図２７は、図２６に示される固定刃を含む刃のセットの実施形態の分解斜視底面図である。
【図２８】図２８は、刃のセットの他の実施形態のための固定刃の円形配置の斜視上面図である。
【図２９】図２９は、図２８に示される固定刃の部分的な側面図である。
【図３０】図３０は、図２９の構成の部分的な断面側面図である。
【発明を実施するための形態】
【００５３】
図１は、ヘアカッティング機器１０、特に電動ヘアカッティング機器の例示的な実施形態を簡略化された斜視図において概略的に図示している。ヘアカッティング機器１０は、筐体、より具体的には、筐体部１２と、筐体部１２に破線のブロック１４で示されるモータと、筐体部１２に破線のブロック１６で示される駆動機構又は駆動チェインと、を有することができる。ヘアカッティング機器１０の少なくとも幾つかの実施形態では、モータ１４に電力を供給するために、筐体部１２に破線のブロック１８で示されるような、例えば充電式バッテリ、交換可能なバッテリなどの電気バッテリが設けられていてもよい。しかしながら、幾つかの実施形態では、カッティング機器１０は、電源を接続するための電源ケーブルを更に有していてもよい。電源コネクタが、（内部）電気バッテリ１８に加えて、又は、その代わりに設けられてもよい。
【００５４】
ヘアカッティング機器１０は、切断ヘッド２０を更に有していてもよい。切断ヘッド２０において、刃のセット２２が、ヘアカッティング機器１０に取り付けられることができる。刃のセット２２は、切断動作を可能にするために、駆動機構又は駆動チェインを介してモータ１４によって駆動され得る。切断動作は、一般的に、固定刃と可動切断刃との間の相対運動と見なすことができ、これについては後でさらに説明し、説明する。一般に、ユーザは、カッティング機器１０を把持し、保持し、手動で毛髪を移動方向３０にガイドして、毛髪を切断することができる。カッティング機器１０は、一般に、手でガイドされる、又は、手で操作される電気的な装置と見なすことができる。さらに、切断ヘッド２０、より詳細には刃のセット２２は、図１の参照符号２８で示される湾曲した二重矢印で示されるように、カッティング機器１０の筐体部１２に旋回可能に接続することができる。幾つかのアプリケーションでは、カッティング機器１０は、皮膚において成長している毛髪を切断するために皮膚に沿って移動され得る。肌の知覚で毛を切断する場合、基本的には、肌の高さ（レベル）で毛を切断したり、刈ったりすることを目的として、シェービング動作が行なわれ得る。しかしながら、刃のセット２２を有する切断ヘッド２０が、皮膚に対して所望の距離における経路に沿って通過するクリッピング（又はトリミング）動作も想定され得る。
【００５５】
刃のセット２２を含むカッティング機器１０は、典型的には、毛を通ってガイドされるとき、図１の参照番号３０によって示される共通の移動方向に沿って移動される。これに関連して、ヘアカッティング機器１０が典型的には手作業でガイドされ、移動されるので、移動方向３０は、ヘアカッティング機器１０及びその切断ヘッド２０の向きに対して必ずしも固定された定義及び配向に関して正確な幾何学的基準として解釈される必要はないことに言及する価値があろう。即ち、皮膚における切断される毛髪に対するヘアカッティング機器１０の全体的な向きは、幾分不安定であると解釈され得る。しかしながら、説明のために、（仮想的な）移動方向３０は、以下においてヘアカッティング機器１０の構造的特徴を説明する手段として役立つ座標系の主中心平面に平行（又はほぼ平行）であると仮定することができる。
【００５６】
参照を容易にするために、ここでは幾つかの図面に座標系が示されている。一例として、デカルト座標系Ｘ−Ｙ−Ｚが図１に示されている。それぞれの座標系の軸Ｘは、本開示の目的のために、一般的に長さに関連する一般的な長手方向に延びている。座標系の軸Ｙは、本開示の目的のために、幅に関連する横（又は交差）方向に延びている。座標系の軸線Ｚは、少なくとも幾つかの実施形態では、一般的に垂直な方向として、例示のために参照することができる、高さ（又は垂直）方向に延在している。言うまでもなく、座標系Ｘ−Ｙ−Ｚと特徴的な特徴及び／又はヘアカッティング機器１０の実施形態との関連付けは、例示のために主に提供されており、制限的な意味で解釈されるものではない。当業者であれば、代替的な実施形態、それぞれの図及び図示に直面するとき、本明細書で提供される座標系を容易に変換及び／又は変形することができることを理解されたい。本開示の目的のため、座標系Ｘ−Ｙ−Ｚは、一般に、切断ヘッド２０、特にその刃のセット２２の主な方向及び向きと位置合わせされていることに言及する価値がある。
【００５７】
図２は、図１に図示される切断ヘッド２０において実装され得る刃のセット２２の斜視上面図を示している。刃のセット２２は、固定刃２４と、固定刃２４に対して往復運動するように移動可能な切断刃２６とを有する。固定刃２４及び切断刃２６は、少なくとも１つの歯状先端３２，３４、好ましくは第１の歯状先端３２及び第２の歯状先端３４を共同して画定することができる。第１の歯状先端３２及び第２の歯状先端３４は、互いに平行に配置され、互いに離れて向かい合うように配置される。可動切断刃２６は、図２に破線で示されている。切断刃２６は、駆動シャフト５０によって往復駆動されてもよい。これにより、切断刃２６及び固定刃２４が互いに往復運動されることができ、これにより、ヘアカッティング機器１０が移動方向３０において毛を通って移動される場合に各先端３２，３４において、固定刃２４の歯３８と切断刃２６の歯４０との間のスロットに入る毛を協働して切断する。
【００５８】
固定刃２４は、可動刃２６のガードとして配置されてもよい。固定刃２４は、切断刃２６のためのガイドスロットがその間に画定されるように、図４乃至図６において刃のセット２２の断面表示に示されるように、互いに少なくとも部分的に離間された第１の壁部分及び第２の壁部分を含むことが特に好ましい。結果として、固定刃２４は、また、少なくとも１つの歯状先端３２，３４において、可動刃２６を覆うことができる。
【００５９】
既に上述したように、刃のセット２２は、シェービング動作及びトリミング動作に特に適している。シェービング性能及びトリミング性能は、刃のセット２２が実際の肌の輪郭に従うことができるときにさらに改善され得る。その結果、刃のセット２２は、ヘアカッティング機器１０の筐体部１２に旋回可能に取り付け可能であることが特に好ましい。スイベル機構を図２に参照番号４２で示す。刃のセット２２は、スイベル機構４２に取り付けられている。スイベル機構４２は、刃のセット２２と筐体部１２との間に介在する切断ヘッド２０の一部を形成することができる。スイベル機構４２は、図１及び図２において湾曲した二重矢印２８に示されるように、刃のセット２２のためのピボット又はむしろ仮想のピボットを画定し得る。
【００６０】
スイベル機構４２は、筐体部１２に対する刃のセット２２の最大旋回角を規定するように、旋回運動の許容範囲を規定するために接触面４６と協働することができる制限止め具４４を備えることができる。一例として、スイベル機構４２は、４節リンク機構として構成することができる。この実施形態では、スイベル機構４２は、筐体部１２に取り付けることができるベースリンク５２を有する。第１のサイドリンク５４及び第２のサイドリンク５６は、ベースリンク５２に結合されてもよい。その上端部で、スイベル機構４２は、第１のサイドリンク５４と第２のサイドリンク５６とを連結するトップリンク５８を有することができる。各リンク５２，５４，５６，５８の間には、隣接するリンク間の相対的な回転、ひいては全体の旋回運動を可能にするヒンジ、特にリビングヒンジが設けられている。
【００６１】
一般に、少なくとも幾つかの実施形態では、切断ヘッド２０は、交換可能及び／又は取り外し可能な切断ヘッドと見なすことができる。この目的のために、切断部２０は、ヘアカッティング機器１０の筐体部１２におけるそれぞれの受容界面に係合するように配置された取り付けインタフェース４８を備えることができる。特に、切断ヘッド２０は、プラグイン切断ヘッド２０として配置されてもよい。既に上述したように、刃のセット２２、特にその切断刃２６は、駆動シャフト５０に結合されてもよい。駆動シャフト５０は、駆動シャフト５０の長手方向軸の周りを公転し得る偏心部分を備えることができる。従って、固定刃２４に対して切断刃２６を往復移動させる偏心駆動機構１６が設けられてもよい。
【００６２】
図２に例示的に図示されるようなスイベル機構４２、又は、スイベル機構の他の例示的な実施形態が取り付けられている場合、切断ヘッド２０は、シェービング動作に特に適している。しかしながら、ヘアカッティング機器１０は、ヘアトリミング動作にも適していることがさらに好ましい。ヘアトリミングは、所望の長さで毛を切断することを含み得る。所望の毛髪の残りの長さは、いわゆるアタッチメントコームによって画定されてもよい。
【００６３】
図３は、図２に示される刃のセット２２の構成に従って基本的に構成される刃のセット２２の部分上面図である。図４は、対応する横断面側面図である。図３の符号６０を付された矢印で示されるように、可動切断刃２６は、固定刃２４に対して往復移動させるように動作され得る。その結果、固定刃２４の各歯３８と可動切断刃２６の歯４０とが協働してそれらの間の毛を切断することができる。図３から更に分かるように、固定刃２４の各側端に側端部６２を設けてもよい。図４に示すように、刃のセット２２の上側又は皮膚に面する側を参照符号３６で示す。これに対応して、従って、底面又は皮膚から離れて面する面として称され得る上面３６とは反対側の面が、参照番号６４によって図４に示されている。
【００６４】
固定刃２４の歯３８の各長手方向端部には、先端部６６が設けられている。可動切断刃２６の歯４０の各長手方向端部には、先端部６８が設けられている。図４から最もよく分かるように、歯３８の先端部６６は、歯４０の先端部６８よりも長手方向Ｘに突出している。さらに、第１の壁部分７０及び第２の壁部分７２が固定刃２４に設けられているので、その先端部６６を含むその歯３８は、その先端部６８を含む可動切断刃２６の歯４０を幾分包囲し、覆い、又は、ガードし得る。さらに、このようにして固定刃２６の幾分閉じた設計が達成されると、固定刃２４はかなり堅く且つ剛性のある態様で構成され得る。固定刃２４の第１の壁部分７０と第２の壁部分７２とは、それらの間にガイドスロット７４を画定するように互いに間隔を置いて配置されている。ガイドスロット７４の有効高さｈｓを図６に示す。好ましくは、ガイドスロット７４の高さｈｓは、可動切断刃２６の高さ又は厚さに適合して、ガイドスロット７４内の可動切断刃のしっかりした嵌合構成を可能にする。
【００６５】
図４から更に分かるように（図２３も参照）、送信機７６を切断刃２６に設けて、結合することができる。送信機７６は、基本的には、図２に示すように駆動シャフト５０に係合するように構成されている。さらに、固定刃２４の底側（第２の壁部分７２）には、可動刃２６の固定刃に対する長手方向の位置を規定するガイド構成７８、特に長手方向ガイド構成７８を設けることができる。ガイド装置７８は、例えば、少なくとも部分的に横方向に延びるスロットを備え、送信機７６は、スライド式に受け入れられる。
【００６６】
既に上に示したように、固定刃２４の歯３８は、基本的に、底面６４において、上面３６にある第１の壁部分７０と第２の壁部分７２とによって画定される。換言すれば、歯３８は、断面側面図で見ると、基本的にＵ字形の断面を有していてもよい。従って、第１の脚部８０及び第２の脚部８２が設けられ、それぞれ第１の壁部分７０及び第２の壁部分７２によって画定される。可動切断刃２６の歯４０は、第１の脚部８０と第２の脚部８２との間に受け入れられる。
【００６７】
固定刃２４の隣接する歯３８の間には、スロット空間とも呼ばれる各歯スロット８４が設けられている。基本的には、切断すべき毛は、固定刃２４と可動切断刃２６との協働する切断動作において切断又は切られるべき歯スロット８４に入る必要がある。図５及び図６は、図３及び図４に示される固定刃２４の部分長手方向側面図を示している。説明の目的のために、可動切断刃２６は、図５及び図６には図示されていない。図４中の線分Ｖ−Ｖ及び線分ＶＩ−ＶＩは、図５及び図６の視点の向き及び位置を示している。図５及び図６に示される構成は、歯３８の、より具体的には第１の脚部８０及び第２の脚部８２の長手方向の断面又は輪郭が基本的に矩形である限り、従来同様である。その結果、歯スロット８４も基本的に矩形に配置される。歯スロット８４の全体的な高さｈＯは、図６に示されている。全体の高さｈＯは、基本的には、ガイドスロット７４の高さｈｓと、第１の脚部８０の高さｈｔと、第２の脚部８２の高さｈｂとからなる。同様に、歯スロット８４の幅ｗｓを図６に示す。
【００６８】
図６にさらに示すように、固定刃２４は、本明細書に記載されているような少なくとも幾つかの実施形態では、一体的に形成された金属プラスチック複合部品として構成することができる。一例として、第１の壁部分７０又は第１の脚部８０の少なくとも実質的な部分を形成する金属コンポーネント８６を設けることができる。さらに、第２の壁部分７２又は第２の脚部８２の少なくとも実質的部分を形成し得るプラスチックコンポーネント８８が設けられてもよい。金属コンポーネント８６及びプラスチックコンポーネント８８を有する複合部品として固定刃２４を形成することは、特に、歯３８の第２の脚部８２を、刃のセット２２の髪の捕捉能力を改善するために垂直方向にテーパ状に適切に成形できるという利点を有する。図６から更に分かるように、切断面９０は、第１の壁部分７０の底面、より具体的には歯３８の第１の脚部８０の頂面又は上面３６に対向する面によって画定されてもよい。
【００６９】
図５により更なる説明がなされる。図５及び図３の対応する上面図に示されるように、歯３８の先端部６６には、それぞれ長手方向に延びる先端テーパ部９２が設けられていてもよい。長手方向の先端テーパ部９２は、図３に示すような上面図の方向から見た場合に、歯スロット８４が、基本的に漏斗状、くびれた、又は、テーパ状に配置されていてもよい。
【００７０】
更なる参照が、図７及び図８によりなされる。図７及び図８は、固定刃２４の２つの例示的な実施形態のわずかに傾斜した（横軸Ｙ周りの）長手方向の側面図を示している。即ち、図７及び図８の座標系の矢印で示す上下方向又は高さ方向Ｚは、その視野方向平面に対して幾分傾斜している。図７は、その間にガイドスロット７４を規定する第１の壁部分７０及び第２の壁部分７２を有する、それぞれの二重壁固定刃２４の従来の配置を示している。さらに、各歯スロット８４と交互になる一連の歯３８が設けられている。歯３８及び歯スロット８４は、長手方向の側面図で見た場合に、同様の構成を示す図６の断面図のように、基本的に矩形の形状及び輪郭を備えている。
【００７１】
歯３８の先端部６６には、長手方向の先端テーパ部（先細り部）９２が設けられている。しかしながら、歯３８の後部において、それぞれの第２の脚８２は、基本的に矩形の断面を有してもよい。これは、かなり大きな角度α（アルファ）で配置された毛髪フィラメント９４のみが、ほとんど努力なしに、歯スロット８４に入ることができるという効果を有し得る。髪フィラメント９４と皮膚表面との間の配向角αが小さすぎると、固定刃２４の毛髪捕捉性能が低下することがある。
【００７２】
従って、本開示の一態様によれば、歯３８の第２の脚部８２の側面９６を、長手方向Ｘ及び垂直方向Ｚによって規定される基本的に垂直な平面に対して傾けて又は傾斜して配置することが有利であり得る。更なる参照が図８によりなされる。結果として、歯３８に、特にその第２の脚部８２に（垂直な）先細り９８を設けることができる。これは、図８に示されるように、皮膚表面に対して基本的に平坦に配置された毛髪フィラメント９４が依然として容易に歯スロット８４に入る可能性があるという利点を有する。歯３８に垂直テーパ部９８を設けることにより、皮膚に対してかなり小さい角度β（ベータ）に配置された毛フィラメント９４も効率的に捕捉し切断することができる。結果として、特に、刃のセット２２のシェービング性能又はトリミング性能を向上させることができる。より多くの毛が単一のストロークで歯スロット８４に入ることができるほど、毛切断動作はより迅速に達成され得る。また、歯スロット８４の後端には、図８に示すように、テーパ部分又は漏斗部分とも呼ばれ得る円錐形部分１００が設けられてもよい。
【００７３】
有利なテーパ状に配置された固定刃２４の歯３８の例示的な実施形態を示す図９乃至図１３を参照されたい。
【００７４】
図９から最もよく分かるように、固定刃２４は、金属コンポーネント８６及びプラスチックコンポーネント８８で構成することができる。図９の実施形態と同様に、金属コンポーネント８６は、第１の壁部分７０の実質的な部分を形成し、従って、第１の脚部８０の実質的な部分も形成する。さらに、プラスチックコンポーネント８８は、第２の壁部分７２を形成し、結果として第２の脚部８２を形成する。歯３８の先端部６６において、第１の壁部分７０及び第２の壁部分７２は、中間壁部分１０４を介して互いに結合されている。図９の実施形態と同様に、中間壁部分１０４は、プラスチックコンポーネント８８によって主に形成されている。
【００７５】
図９から更に分かるように、ガイドスロット７４は、必ずしも長方形の輪郭を有する必要はない。主に第１の壁部分７０において、歯３８の第１の脚部８０に均一な切断面９０を設けることができる。しかし、ガイドスロット７４の底面において、第２の脚部８８の対応する上面１１４のように、それぞれの平面が設けられている必要はない。
【００７６】
図１０及び図１１は、歯３８の先細りの第１の実施形態の底面図及び対応する長手方向断側面図を示している。図１２及び図１３は、歯３８のそれぞれの先細りの第２の実施形態の底面図及び対応する長手方向断側面図を示している。図１１及び図１３の断面の位置は、それぞれ線分ＸＩ−ＸＩ及び線分ＸＩＩＩ−ＸＩＩＩによって、図９、図１０、及び、図１２に示されている。
【００７７】
図１０及び図１１の実施形態は、歯３８の先端部６６において基本的に設けられる長手方向に延在している先細り９２を有している。長手方向のテーパ部９２に隣接して、垂直に延びるテーパ部９８が設けられている。換言すれば、少なくとも側面９６において、それぞれの第２の脚部８２の外形は、それらの長手方向の延長の実質的な部分に沿って基本的に一定であってもよい。
【００７８】
しかし、図９から明らかなように、第２の脚部８２の頂上面又は上面１１４において、第２の脚部８２のそれぞれの断面は、それらの長手方向の伸長に沿って変化してもよい。即ち、上面１１４は、長手方向Ｘに対して湾曲していてもよい。
【００７９】
第２の壁部分７２又はむしろ第２の脚部８２の断面は、図１１及び図１３の参照番号１１０によって示されている。第１の壁部分７０及び第１の脚部８０の対応する断面は、図１１及び図１３において参照番号１０８で示されている。
【００８０】
図１０及び図１１に示される構成とは対照的に、図１２及び図１３の構成は、第２の脚部８２の長手方向の拡がりに沿って徐々に変化する断面１１０を有している。言い換えれば、先端部６６に隣接して、断面１１０は、先端部６６に対向する第２の脚部８２の後端部に隣接する部分よりも著しく小さい。基本的には、第１の脚部８０の断面１０８にも同じことが当てはまる。
【００８１】
図１１及び図１３の両方において、断面１１０は、基本的に台形状に配置されている。言い換えれば、側面９６にはそれぞれテーパ部９８が設けられ、従って互いに対して傾斜している。側面９６は、上面１１４と皮膚から離れて面する底面１１６との間に延在する。一般に、底面１１６は、上面１１４より小さい。同様のことが図１３の実施形態にも当てはまる。
【００８２】
図１４乃至図１９によれば、固定刃２４の毛髪捕捉能力を改善し得る歯３８の各テーパ部９２，９８の更なる実施形態が図示されている。図１４乃至図１９の実施形態の各々では、第１の壁部分７０によって規定される第１の脚部８０が、基本的に、矩形の輪郭をなすように配置されている。これに対して、第２の壁部分７２によって形成された第２の脚部８２は、基本的にテーパ状に配置されている。先細りは、先端テーパ部と呼ばれることもある長手方向の先細り９２を有していてもよい。さらに、図１４乃至図１８に示すように、それぞれの断面又は輪郭に存在する垂直テーパ部９８を設けることができる。
【００８３】
図１４は、図１０及び図１１に示されるような実施形態に基本的に対応し得る実施形態を図示している。これに対応して、基本的に台形状に形成された第２の脚部８２の断面１１０を設けることができる。断面１１０は、歯３８の第２の脚部９２の長手方向の延長部のかなりの部分に沿って一定であってもよい。側面９６は、垂直方向Ｚ及び長手方向Ｘによって規定される垂直面に対して角度γ（ガンマ）で配置されてもよい。傾斜角γは、約０．５°乃至約４５°の範囲内、好ましくは約３°乃至約３０°の範囲内、より好ましくは約３°乃至約２２．５°の範囲内であり得る。さらに、言うまでもなく、第２の脚部８２の断面又は輪郭のエッジは、丸みを帯びていても面取りされていてもよい。プロファイル又は横断面１１０の先細りにより、底面１１６の幅ｗ２は、上面１１４の対応する幅ｗ１よりもかなり小さくすることができる。
【００８４】
ガイドスロット７４の上側に設けられた切断面９０は、第１の壁部分７０又は第１の脚部８０に設けられた切断エッジ１２０によって画定される。幾つかの実施形態では、第２の壁部分７２又は第２の脚部８２にも、ガイドスロット７４に隣接するそれぞれの切断エッジ１２２が設けられてもよい。切断エッジ１２０と、もしあれば、切断エッジ１２２とは、可動切断刃２６の対応する切断エッジと協働して、毛を切断することができる。
【００８５】
図１５乃至図１９は、図１２及び図１３の実施形態と同様に、垂直テーパ部９８が基本的に長手方向に延びる別のテーパ部９２によって重ね合わされ又は重畳された実施形態を示している。その結果、断面１１０は、各歯３８の先端部６６に向かって徐々に減少する。対照的に、図１０、図１１、及び、図１４の実施形態と同様に、断面１１０は、その長手方向の延長部の実質的な部分に沿って基本的に一定である。
【００８６】
図１５及び図１６は、台形の断面又は輪郭１１０を実装する実施形態を図示している。図１７は、三角形断面１１０を実装する実施形態を図示している。図１８は、半楕円形断面１１０を実装する実施形態を図示している。図１９は、図１８の視野の対応する側面図（断面図を含まない）である。
【００８７】
図１５及び図１７の実施形態と同様に、第２の脚部８２の断面１１０の高さｈｂ又は厚さは、その長手方向の拡がりの少なくとも一部に沿って基本的に一定である。図１６及び図１８の実施形態と同様に、それぞれの高さｈｂは、歯の先端部６６に向かって徐々に減少する。
【００８８】
言うまでもなく、歯３８の第２の脚部８２の所望の先細り（長手方向のテーパ部９２によって覆われ得る垂直方向の先細り９８）は、さらなる代替の形状及び輪郭によって提供され得る。一般に、先細りは、固定刃２４の髪捕捉能力を高めることを意図している。テーパは、長手方向の側面図で見ると、各歯３８の間に設けられた歯スロット８４の輪郭又は外縁が、基本的に、底側で広くなり且つ先端側で狭くなるのを含む、Ｙ字状又は漏斗状に配置されてもよい。これにより、固定刃２４は、皮膚表面に対してかなり平坦に配置された毛髪も捕捉して切断することができる。
【００８９】
図２０乃至図３０をさらに参照する。図２０乃至図３０は、固定刃２４の幾つかの代替的な実施形態を図示している。それぞれの場合において、固定刃２４は、可動切断刃を受け入れることができるそれぞれのガイドスロット７４が設けられるように、両面又は二重壁の固定刃２４として構成されている。
【００９０】
刃のセット１３０の第1の例示的な構成が、図２０乃至図２２に図示されている。図２０は、刃のセット１３０の斜視上面図を示している。図２１は、刃のセット１３０の斜視底面図を示している。図２２は、刃のセット１３０の斜視分解底面図を示している。これに関連して、図２２に示すような固定刃２４の分解状態が、実際には、固定刃２４の製造過程において、各構成要素の実際の現在の状態に必ずしも対応する必要はないことに言及する価値があろう。
【００９１】
図２０乃至図２２の実施形態と同様に、固定刃２４は、基本的に、第１の壁部分７０と、第２の壁部分７２と、それらの間に介在する中間壁部分１０４と、からなる積層体として構成されている。壁部分７０，７２，１０４の各々は、各シートメタルブランクから得ることができる。特に、中間壁部分１０４は、第１の壁部分７０と第２の壁部分７２との間にガイドスロット７４を画定するように加工されてもよい。換言すれば、中間壁部分１０４が得られるシートメタルブランクの高さは、基本的にガイドスロット７４の高さｈｓに対応する。ガイドスロット７４において、可動切断刃２６が摺動可能に受け入れられてもよい。さらに、中間壁部分１０４の高さには、可動切断刃２６の対応する横方向に延びるガイドスロットと協働して、規定された方法で可動切断刃２６を受け入れる中央ガイドプレート１３２が画定されてもよい。
【００９２】
固定刃２４を製造する過程で、最初に、各壁部分７０，７２，１０４が形成されるシートメタルブランクが、基本的に連続的に延在するコンポーネント又は層１３６，１３８，１４０として存在してもよい。言い換えると、第１の壁部分７０は、第1の層１３６によって画定されてもよい。また、第２の壁部分７２は、第２の層１３８によって画定されてもよい。さらに、中間壁部分１０４は、第３（中間）の層１４０によって画定されてもよい。
【００９３】
従って、初期状態では、穿孔、スロット、又は、類似の要素を設けることはできない。さらに、それぞれのシートメタルブランクは（それらの長手方向及び／又は横方向の伸びに関して）大き過ぎる方法で存在してもよい。これは、特に、中間壁部分１０４を用いて、それぞれの材料除去操作が、例えばガイドスロット７４を画定するように実行され、壁部分７０，７２，１０４が少しの労力で扱われ、処理されることができるという利点を有し得る。
【００９４】
各壁部分７０，７２，１０４の少なくとも幾つかの初期の（粗い）処理の後、壁部分７０，７２，１０４は互いに結合されてもよい。この目的のために、例えばレーザボンディング、レーザ溶接、及び、類似のプロセスを利用することができる。接合された状態で、更なる材料除去処理が行なわれてもよい。例えば、歯３８は、所望の形状を得るために加工されてもよい。このようにして、第１の歯状先端３２及び第２の歯状先端３４を得ることができる。さらに、固定刃２４の所望の輪郭を処理して、最終製品又は最終製品に近いものを受け取ることができる。従って、再び図２２の分解図を参照すると、隔離された中間壁部分１０４は、典型的には、図２２に示されるような分割された状態では存在しない。中間壁部分１０４が第１の壁部分７０及び第２の壁部分７２に結合されると、単一の一体形状の積層スタックが処理され得る。従って、各材料除去処理の後に残っている歯部１３４が、主に別々の実体としての説明目的の図２２に示されている。図２１に示される固定刃２４の実施形態は、壁部分７０，７２，１０４の高さ又は厚さを独立して画定し選択することができるという利点を有する。換言すれば、それぞれの壁部分７０，７２，１０４は、必ずしも同じ厚さ又は高さを有する必要はない。
【００９５】
第２の壁部分７２の第２の脚部８２で所望の先細りを達成するために、第１の壁部分７０の第１の脚部８０を然るべく処理する必要なしに、それぞれの断面又は輪郭１１０を処理することができる。
【００９６】
特に図２３を参照すると、一体的に形成された金属プラスチックコンポーネントとして構成された固定刃２４を利用する刃のセット１５０の更なる実施形態が記載されている。少なくともある程度、図２３の刃のセット１５０は、図２乃至図６に図示される刃のセット２２の一般的な設計及びレイアウトに対応する。刃のセット１５０を分解斜視図として図２３に示す。この場合も、図２３に示される状態は、固定刃２４が一体的に形成されているため、製造工程中の各部品の実際の状態を必ずしも反映するものではない。従って、実際には、例えばプラスチックコンポーネント８８は、必ずしも独立した分離状態で存在している必要はない。
【００９７】
金属コンポーネント８６は、インサート部品１５２とも呼ばれる。プラスチックコンポーネント８８は、オーバモールド部品１５４とも呼ばれる。金属コンポーネント８６は、基本的に、第１の壁部分７０を画定し、少なくともその大部分は切断エッジ１２０（図１４参照）が設けられた歯茎部分１５８を含む。金属コンポーネント８６は、シートメタルブランクから得ることができる。シートメタルブランクは、歯茎部分１５８を画定するように然るべく加工され得る。次いで、金属コンポーネント８６は、プラスチック材料が注入されて、オーバモールド部品１５４とも呼ばれるプラスチックコンポーネント８８を画定することができるモールドに挿入され得る。プラスチックコンポーネント８８は、第２の壁部分７２と、第１の壁部分７０と第２の壁部分７２とがその先端で相互接続されている中間壁部分１０４と、を画定することができる。さらに、プラスチックコンポーネント８８は、例えば、図４及び図９に示されるように、歯３８の先端部６６に隣接して、第１の壁部７０の少なくとも一部分を画定することができる。プラスチックコンポーネント８８によって画定されるそれぞれのオーバモールドされた歯部分は、図２３に参照番号１６０で示されている。さらに、図４に関連して既に説明したガイド構成７８は、このようにして、形成され得る。
【００９８】
図２３は、送信機７６の例示的な構成を更に示している。例えば、送信機７６は、例えば、ボンディング、溶接、又は、はんだ付けによって、可動切断刃２６に結合され得る駆動ブリッジ１６２を有していてもよい。さらに、駆動ブリッジ１６２に結合され得る係合要素１６４が設けられてもよい。係合要素１６４は、図２に関連して示されるように、駆動シャフト５０によって係合されてもよい。
【００９９】
図２４乃至図２７を更に参照して、一体型の複合金属プラスチックコンポーネントとして構成された固定刃２４を利用する刃のセット１７０の他の例示的な実施形態を説明する。
【０１００】
図２４に見られるように、最初に金属板１７２が得られるシートメタルブランクが提供され得る。金属板１７２は、然るべく処理され得る。例えば、スロット１７４の各行が処理され得る。金属板１７２は、第１の壁部分７０の実質的な部分を画定する中央部分１７６を有していてもよい。さらに、中央部分１７６に隣接して、金属板１７２は、屈曲部分１７８とも呼ばれる端部を有していてもよい。屈曲部分１７８は、好ましくは、図２５に示すように、折り曲げられて、固定刃２４の内側シェル１９２を画定するように変形される。一例として、ガイドスロット７４の空間を占めるスロットダミー１８０を設けることができる。従って、基準又はゲージの幾何形状を提供することができる。端部１７８を（例えば１８０°だけ）曲げることによって、閉ループ又はシェルを画定することができる。接着スポット１８６が図２５に示されている。各端部１７８は、例えば、ライン溶接、スポット溶接などによって、互いに接着、特に溶接されてもよい。さらに、アクチュエーション凹部１８８を金属シェル１９２に設けてもよい。図２７から最もよく分かるように、送信機７６は、アクチュエーション凹部１８８を通って延びて、可動切断刃２６と接触して駆動運動を伝える又は伝達することができる。屈曲端部１７８は、図２６に示されるように、第２の壁部分７２の少なくとも実質的な部分を画定する。金属シェル１９２の変形状態では、基本的にＵ字形の横断面を含む歯状先端に半完成歯１８４を設けることができる。
【０１０１】
図２５に示されるような金属シェル１９２は、次に、射出成形モールド又はキャビティ内に配置され得る。これに関連して、スロットダミー１８０又は類似のダミーコンポーネントをスロット７４内に保持することができる。次に、溶融プラスチック材料を注入して、オーバモールドコンポーネント１９４とも呼ばれるプラスチックコンポーネント８８を画定することができる。従って、プラスチックコンポーネント８８は、第２の壁部分７２の実質的な部分及び第１の壁部分７０の少なくとも一部分を形成することができる。さらに、金属シェル１９２は、固定刃２４の内側コアを画定し、従って、第１の壁部分７０の実質的な部分及びガイドスロット７４を画定する第２の壁部分７２の少なくともかなりの部分を形成することができる。金属シェル１９２及びオーバーモールドコンポーネント１９４は、第１の壁部分７０と第２の壁部分７２とを接続する中間壁部分１０４を共同して画定することができる。
【０１０２】
刃のセット２２のための固定刃２４の円形の実施形態を図示している図２８乃至図３０を更に参照する。既に示したように、座標系Ｘ−Ｙ−Ｚは、主に説明のために提示されている。図２８に最もよく示されているように、固定刃の円形の実施形態は、（直交座標）座標系Ｘ−Ｙ−Ｚの垂直軸又は高さ指示軸Ｚに基本的に対応する中心軸Ｌを有する極座標系を使用して最もよく記述することができる。中心軸Ｌは、回転中心軸と見なすこともできる。さらに、中心軸Ｌに由来する半径方向又は距離ｒが、図２８乃至図３０に示されている。また、基準半径方向と現在の半径方向との間の角度を示す角度位置を示す座標∂（デルタ）を設けてもよい。
【０１０３】
また、接線方向が図２８ではｔで示されている。これは、基本的に現在観察されている歯の（仮想的な）移動方向３０及び半径方向ｒに対して垂直である。また、円周方向及び／又は接線方向を示す周方向ｔ´が、図２８乃至図３０に図示されている。言い換えれば、接線方向ｔは、軸方向角度δによって記述されるその別個の点における周方向ｔ´に対する接線である。
【０１０４】
上述した実施形態の少なくとも１つに関連して記載された本開示の幾つかの態様は、特定の開示された（直線的な）実施形態に限定されず、したがって、他の実施形態に容易に変形され、適用され得ることは、それらがデカルト座標系又は円筒座標系に関連して導入され提示されるかどうかにかかわらず、当該技術分野における当業者によって容易に理解されるであろう。円形固定刃２４及び対応する円形可動切断刃２６を実装する刃のセット２２の切断動作は、可動切断刃２６（図２８乃至図３０には図示せず）と固定刃２４との間の相対的な回転運動によってもたらされ得る。換言すれば、それぞれの切断動作は、一方向回転運動又は振動運動であってもよい。
【０１０５】
また、固定刃２４は、動作中に皮膚に面する上面３６を画定する。それとは別に、個々の歯３８が設けられてもよく、これらの歯３８は、単一の円形の歯状先端に配置されてもよい。また、円形の固定刃２４は、両面又は二重壁の固定刃として構成することができるので、第１の壁部分７０及び第２の壁部分７２が存在してもよい。第１の壁部分７０と第２の壁部分７２との間に、中間壁部分１０４が存在してもよい。従って、結果として、円形固定刃２４の歯３８もまた、上述したような（線形の）実施形態の少なくとも１つに従って構成及び成形され得る。円形固定刃２４の詳細な構造に関しては、図２０乃至図２２で説明した積層スタック構成、図２３に図示されるような第１の壁部分７０の主要部分を基本的に画定する金属コンポーネントを含む一体成型金属プラスチック複合構成、並びに、図２４乃至図２７に図示されるようなガイドスロットを画定し囲み、プラスチックコンポーネントがモールドされる、内側金属シェルを含む一体成形された金属プラスチック複合構成を含む幾つかの選択肢が考えられる。
【０１０６】
従って、これに関連して、当業者は、特に、図２８乃至図３０に示されるような円形固定刃２４を実装する円形の刃のセット２２が、特に大きな円形固定刃２４の一部又は円形部分のみが観察される場合、理解を容易にするために、近似的に直線状のブレードセットとして解釈することができることに言及する価値があろう。結果、線形の実施形態を定義し、説明するために本明細書で使用されるデカルト座標系Ｘ，Ｙ，Ｚもまた、図２８乃至図３０の実施形態に変形及び適用され得る。
【０１０７】
本発明が、図面及び上記記述において詳細に図示及び説明されてきたが、かかる図示及び説明は、例示であって、限定するものではないと考えられるべきであり、即ち、本発明は、開示の実施形態に限定されない。開示の実施形態に対する他の変形が、本発明を実施する際、当該技術分野における当業者によって、図面、開示、及び、添付の請求項の研究から、理解及び実施され得る。
【０１０８】
請求項において、「有する」なる用語は、他の要素又はステップを除外せず、単数形は、複数あることを除外しない。単一の要素又は他のユニットが、請求項に記載の幾つかの項目の機能を果たしてもよい。特定の手段が相互に異なる従属請求項において言及されているという単なる事実は、これらの手段の組み合わせが、好適に使用されないということを示すものではない。
【０１０９】
請求項中の任意の参照符号は、本発明の範囲を限定するものとして解釈されるべきではない。
【図１】
0006332892.tif 000002
【図２】
0006332892.tif 000003
【図３】
0006332892.tif 000004
【図４】
0006332892.tif 000005
【図５】
0006332892.tif 000006
【図６】
0006332892.tif 000007
【図７】
0006332892.tif 000008
【図８】
0006332892.tif 000009
【図９】
0006332892.tif 000010
【図１０】
0006332892.tif 000011
【図１１】
0006332892.tif 000012
【図１２】
0006332892.tif 000013
【図１３】
0006332892.tif 000014
【図１４】
0006332892.tif 000015
【図１５】
0006332892.tif 000016
【図１６】
0006332892.tif 000017
【図１７】
0006332892.tif 000018
【図１８】
0006332892.tif 000019
【図１９】
0006332892.tif 000020
【図２０】
0006332892.tif 000021
【図２１】
0006332892.tif 000022
【図２２】
0006332892.tif 000023
【図２３】
0006332892.tif 000024
【図２４】
0006332892.tif 000025
【図２５】
0006332892.tif 000026
【図２６】
0006332892.tif 000027
【図２７】
0006332892.tif 000028
【図２８】
0006332892.tif 000029
【図２９】
0006332892.tif 000030
【図３０】
0006332892.tif 000031